(57)【特許請求の範囲】
【請求項１】
プリント基板に搭載すべき部品のライブラリデータを保持するためのライブラリ保持部と、
前記ライブラリデータの管理情報を生成して、前記ライブラリデータとともに前記ライブラリ保持部に登録するライブラリ登録部と、を備え、
前記ライブラリデータは、部品形状とパターンのランド形状の組合せで規定され、
前記ライブラリ登録部は、同一の部品形状であってもパターンのランド形状が異なるライブラリデータに、異なる管理情報を付与し、
前記ライブラリデータは、部品形状とパターンのランド形状とランド間の配線本数の組合せでも規定可能であり、
前記ライブラリ登録部は、プリント基板の実装データに、前記ライブラリ保持部に登録されていない部品形状とパターンのランド形状とランド間の配線本数の組合せが含まれているとき、その部品形状とパターンのランド形状とランド間の配線本数の組合せに新規の管理情報を付与して前記ライブラリ保持部に登録することを特徴とする製造支援システム。
【請求項２】
前記ライブラリ登録部は、プリント基板の実装データに、前記ライブラリ保持部に登録されていない部品形状とパターンのランド形状の組合せが含まれているとき、その部品形状とパターンのランド形状の組合せに新規の管理情報を付与して前記ライブラリ保持部に登録することを特徴とする請求項１に記載の製造支援システム。
【請求項３】
前記ライブラリデータは、部品形状とパターンのランド形状と搭載面の組合せでも規定可能であり、
前記ライブラリ登録部は、プリント基板の実装データに、前記ライブラリ保持部に登録されていない部品形状とパターンのランド形状と搭載面の組合せが含まれているとき、その部品形状とパターンのランド形状と搭載面の組合せに新規の管理情報を付与して前記ライブラリ保持部に登録することを特徴とする請求項１に記載の製造支援システム。
【請求項４】
プリント基板を外観検査する外観検査機に設定する検査用実装データを生成する検査用データ生成部を、さらに備え、
前記検査用データ生成部は、前記検査用実装データに前記管理情報を含めることを特徴とする請求項１から３のいずれかに記載の製造支援システム。
【発明の詳細な説明】
【技術分野】
【０００１】
本発明は、プリント回路板の製造、検査を支援する製造支援システムに関する。
【背景技術】
【０００２】
従来の基幹系プリント回路板（保証期間２５年以上）においては保証期間対応の強度実現のため、大きなランド形状のパターンが採用されることが一般的であった。近年の保証期間が５年未満のオープン系プリント回路板では基幹系プリント回路板ほどの強度が要求されない。したがって小さなランド形状のパターンを採用した高密度実装のプリント回路板が主流となり、同一部品でもランド形状の異なる複数パターンが割付けられるケースが急増してきている。
【先行技術文献】
【特許文献】
【０００３】
【特許文献１】特開２００６−１６２９５５号公報
【特許文献２】特開２００６−１６２９５６号公報
【発明の概要】
【発明が解決しようとする課題】
【０００４】
このため部品形状のみに対応する製造ライブラリで運用しているプリント回路板製造の組立て、検査システムにおいて、従来パターンと新規パターンが混在する中での製造ライブラリの管理と製造ライブラリを使用したマシンデータの編集作業に膨大な工数がかかるようになってきている。
【０００５】
本発明はこうした状況に鑑みてなされたものであり、その目的は、製造ライブラリの管理および製造ライブラリを使用したデータの編集作業を容易にする技術を提供することにある。
【課題を解決するための手段】
【０００６】
上記課題を解決するために、本発明のある態様の製造支援システムは、プリント基板に搭載すべき部品のライブラリデータを保持するためのライブラリ保持部と、ライブラリデータの管理情報を生成して、ライブラリデータとともにライブラリ保持部に登録するライブラリ登録部と、を備える。ライブラリデータは、部品形状とパターンのランド形状の組合せで規定され、ライブラリ登録部は、同一の部品形状であってもパターンのランド形状が異なるライブラリデータに、異なる管理情報を付与する。
【０００７】
この態様によると、同一部品であってもパターンが異なる場合、その製造ライブラリに異なる管理情報が付与されるため、実装データにパターン違いの同一部品が含まれていても的確に管理できる。
【０００８】
ライブラリ登録部は、プリント基板の実装データに、ライブラリ保持部に登録されていない部品形状とパターンのランド形状の組合せが含まれているとき、その部品形状とパターンのランド形状の組合せに新規の管理情報を付与してライブラリ保持部に登録してもよい。部品形状とパターンのランド形状の組合せごとに一意の管理情報を付与することにより、同一の部品形状であってもパターンのランド形状が異なるライブラリデータを一意に管理できる。
【０００９】
ライブラリデータは、部品形状とパターンのランド形状と搭載面の組合せでも規定可能である。ライブラリ登録部は、プリント基板の実装データに、ライブラリ保持部に登録されていない部品形状とパターンのランド形状と搭載面の組合せが含まれているとき、その部品形状とパターンのランド形状と搭載面の組合せに新規の管理情報を付与してライブラリ保持部に登録してもよい。
【００１０】
ライブラリデータは、部品形状とパターンのランド形状とランド間の配線本数の組合せでも規定可能である。ライブラリ登録部は、プリント基板の実装データに、ライブラリ保持部に登録されていない部品形状とパターンのランド形状とランド間の配線本数の組合せが含まれているとき、その部品形状とパターンのランド形状とランド間の配線本数の組合せに新規の管理情報を付与してライブラリ保持部に登録してもよい。
【００１１】
プリント基板を外観検査する外観検査機に設定する検査用実装データを生成する検査用データ生成部を、さらに備えてもよい。検査用データ生成部は、検査用実装データに管理情報を含めてもよい。検査用実装データに管理情報を含めることにより、外観検査機側で適切な画像ライブラリを割り当てることができる。
【発明の効果】
【００１２】
本発明によれば、製造ライブラリの管理および製造ライブラリを使用したデータの編集作業を容易にできる。
【図面の簡単な説明】
【００１３】
【図１】本発明の実施の形態に係る製造支援システムの構成を示す図である。
【図２】図２（ａ）−（ｂ）は、製造ライブラリの部品とパターンの関係を説明するための図である。
【図３】図３（ａ）−（ｂ）は、製造ライブラリとその製造ライブラリ番号の一例を示す図である。
【図４】図４（ａ）−（ｂ）は、プリント基板のＬＮ／Ｌ１を説明するための図である。
【図５】図５（ａ）−（ｂ）は、パターン形状のピン間本数を説明するための図である。
【図６】外観検査用の製造ライブラリの登録処理を説明するためのフローチャートである。
【図７】外観検査用実装データの出力処理を説明するためのフローチャートである。
【発明を実施するための形態】
【００１４】
プリント回路板(printed circuit board;PCB)の高密度化、微細化が進むなか、プリント回路板の実装はＳＭＴ(Surface Mounting Technology)が主流になっている。ＳＭＴはプリント基板の表面にペースト状のはんだを塗布し、電子部品を直接はんだ付けする方式である。一般的なＳＭＴラインは、はんだ印刷機、マウンタ、リフロー炉、外観検査機により構成される。以下に説明する実施の形態では、外観検査機に設定する実装データを生成するシステムを中心に説明する。
【００１５】
図１は、本発明の実施の形態に係る製造支援システム１００の構成を示す図である。製造支援システム１００はＣＡＭ(computer aided manufacturing) システムであり、ＣＡＭサーバとクライアントＰＣにより構築される。
【００１６】
製造支援システム１００は、データベース１０、処理部２０、ユーザインタフェース３０を備える。データベース１０は部品実装データベース１１、基板データベース１２、部品データベース１３、ライブラリデータベース１４を含む。
【００１７】
処理部２０は設計データ取得部２１、ライブラリ取得部２２、ライブラリ登録部２３、外観検査用データ生成部２４を含む。これらの構成は、ハードウエア的には、任意のプロセッサ、メモリ、その他のＬＳＩで実現でき、ソフトウエア的にはメモリにロードされたプログラムなどによって実現されるが、ここではそれらの連携によって実現される機能ブロックを描いている。したがって、これらの機能ブロックがハードウエアのみ、ソフトウエアのみ、またはそれらの組合せによっていろいろな形で実現できることは、当業者には理解されるところである。
【００１８】
ユーザインタフェース３０は図示しないディスプレイ（タッチパネル式であってもよい）、キーボード、マウス等を含む。
【００１９】
基板データベース１２は、基板と版数で管理されるプリント回路板の基板固有情報を保持する。部品データベース１３は、基板と版数で管理される実装部品の部品固有情報を保持する。
【００２０】
設計データ取得部２１は、図示しないＣＡＤ（Computer Aided Design）システムからネットワークを介して、プリント回路板の設計データとしてＣＡＤ実装データを取得する。設計データ取得部２１は当該ＣＡＤ実装データを部品実装データベース１１に格納する。
【００２１】
ＣＡＤ実装データは、各プリント回路板の部品形状（部品図番）および部品配置を規定する。部品形状は外形寸法、部品の中心座標、各ピン（電極部）の座標、基準となるピン番号などにより規定される。部品配置は、基板上の搭載位置、後述するパターンライブラリを示すパターン番号、搭載角度などにより規定される。
【００２２】
ライブラリ取得部２２は、図示しないＣＡＤシステムからネットワークを介して、ＣＡＤパターンライブラリを取得する。ＣＡＤパターンライブラリはＴＬＩＢファイル形式で規定され、各ファイルには、各ファイルを一意に特定するためのパターン番号が付されている。ＣＡＤパターンライブラリは、プリント基板上において部品が搭載される箇所のパターン形状（ランド集合体）を規定する。ＣＡＤパターンライブラリはＬ１／ＬＮ、ピン間パターン本数も規定できる。Ｌ１／ＬＮ、ピン間パターン本数の詳細は後述する。パターン形状は、それを構成する各ランドのタイプ、形状、寸法などにより規定される。ランドの形状には四角形、円、楕円、とっくり形、多角形、組合せ図形等がある。例えば、ランドの形状が四角形の場合、ランドの形状はその四角形の４つの頂点座標で規定される。
【００２３】
ライブラリ登録部２３は、部品形状とパターン形状を組み合わせて製造ライブラリを生成し、ライブラリデータベース１４に登録する。部品形状はＣＡＤ実装データまたは部品データベース１３から取得できる部品図番を使用する。パターン形状はライブラリ取得部２２により取得されたパターン形状を使用する。ライブラリ登録部２３は製造ライブラリを生成する際、製造ライブラリごとに管理情報として製造ライブラリ番号を生成する。ライブラリ登録部２３は、同一の部品形状であってもパターンのランド形状が異なる製造ライブラリに、異なる製造ライブラリ番号を付与する。
【００２４】
ライブラリ登録部２３は、ＣＡＤ実装データに、ライブラリデータベース１４に登録されていない部品形状とパターン形状の組合せが含まれているとき、その部品形状とパターン形状の組合せに新規の製造ライブラリ番号を付与して、ライブラリデータベース１４に登録する。
【００２５】
外観検査用データ生成部２４は、プリント回路板を外観検査する外観検査機に設定する外観検査用実装データをＣＡＤ実装データをもとに生成する。外観検査用実装データには図番レコード、基板レコード、部品レコードが含まれる。図番レコードにはパッケージ図番、保存版数、総合版数、搭載版数、製造プロセスが含まれる。基板レコードには基板サイズ、基板フィデンシャルマーク位置、個片取り数が含まれる。部品レコードには部品番号、搭載位置、搭載角度、部品仕様、部品フィデンシャルマーク、搭載面、ブロック番号、ライブラリ番号、パターン番号、基準ピンが含まれる。
【００２６】
外観検査用データ生成部２４は、これらのデータをＣＡＤ実装データ、基板データベース１２または部品データベース１３から取得できるが、ライブラリ番号はＣＡＤ実装データ、基板データベース１２または部品データベース１３に含まれていない。外観検査用データ生成部２４は、部品番号とパターン番号の組合せをもとにライブラリデータベース１４に登録されているライブラリを特定し、そのライブラリ番号を外観検査用実装データに含める。
【００２７】
外観検査機は、製造支援システム１００のライブラリデータベース１４に保持される製造ライブラリに対応する、画像ライブラリを保持する画像ライブラリデータベースを備える。画像ライブラリは、良品を実際に撮影して生成される。画像ライブラリには、対応する製造ライブラリと同じライブラリ番号が付与される。外観検査機は、製造支援システム１００により生成された外観検査用実装データに、画像ライブラリデータベースに登録されていないライブラリ番号が含まれているとき、そのライブラリ番号の製造ライブラリに対応する画像ライブラリをユーザ操作にしたがい生成する。
【００２８】
外観検査機は、製造支援システム１００により生成された外観検査用実装データをもとにマシンデータを生成する。具体的には当該実装データで指定された基板の画像上に、指定された部品の画像ライブラリを、指定された搭載位置にマッピングして、良品画像を生成する。外観検査機は、被検査対象のプリント回路板を撮像して、その画像と良品画像とを比較して外観検査する。具体的には、はんだ不良、欠品、傷、汚れ、異物などが発生していないか検査する。
【００２９】
図２（ａ）−（ｂ）は、製造ライブラリの部品とパターンの関係を説明するための図である。図２（ａ）は従来の両者の関係例を示し、図２（ｂ）は実施の形態に係る両者の関係例を示す。従来の製造ライブラリでは１つの部品に１つパターンが固定的に割当てられていた。これに対して本実施の形態に係る製造ライブラリでは１つの部品に複数のパターンを割当ることができる。
【００３０】
図２（ａ）では部品Ａ４１に第１パターン５１のみが割当てられている。第１パターン５１は２つのランドを含んでいる。各ランド内のバツ印はピンの中心位置を示している。図２（ｂ）では部品Ａ４１に第１パターン５１と第２パターン５２の２つが割当てられている。第２パターン５２のランドは、第１パターン５１のランドより小さなものが採用されている。
【００３１】
図３（ａ）−（ｂ）は、製造ライブラリとその製造ライブラリ番号の一例を示す図である。図３（ａ）は、図２（ａ）−図２（ｂ）の部品Ａ４１と第１パターン５１を組み合わせて生成された製造ライブラリと、その製造ライブラリ番号を示している。図３（ｂ）は、図２（ｂ）の部品Ａ４１と第２パターン５２を組み合わせて生成された製造ライブラリと、その製造ライブラリ番号を示している。図３（ａ）、（ｂ）に示す例では、前者の製造ライブラリ番号として「６０２７２７ＥＧ００１」、後者の製造ライブラリ番号として「６０２７２７ＥＧ００２」が付与されている。これらの製造ライブラリ番号のうち、「６０２７２７Ｅ」が部品形状を示し、「Ｇ００１」及び「Ｇ００２」がパターン形状を示す。
【００３２】
図４（ａ）−（ｂ）は、プリント基板のＬＮ／Ｌ１を説明するための図である。ＬＮはプリント基板の裏面を示し、Ｌ１はプリント基板の裏面を示す。両面リフローではプリント基板の裏面にも部品が搭載される。図４（ａ）−（ｂ）では８本のピンを備える部品のパターン形状５３ａ、５３ｂの例を示している。図４（ａ）はＬＮ面のパターン形状５３ａを示し、図４（ｂ）はＬ１面のパターン形状５３ｂを示している。それぞれ８個のランドを含むが、後者では内側の４つのランドより外側の４つのランドの面積が大きく調整されている。これは裏面のほうが重力の影響が大きくなるため、表面より接着部分の面積を大きくする趣旨である。
【００３３】
図５（ａ）−（ｂ）は、パターン形状のピン間本数を説明するための図である。ピン間本数とは、隣接するランド間に形成される配線パターンの本数を指す。本実施の形態では配線パターンの本数が３本の場合と５本の場合の例を示す。図５（ａ）はピン間本数が３本（Ｐ３）のパターン形状５４ａを示し、図５（ｂ）はピン間本数が５本（Ｐ５）のパターン形状５４ｂを示している。両者を比較すると明らかなようにピン間本数が５本（Ｐ５）のパターン形状５４ｂのほうが、ピン間本数が３本（Ｐ３）のパターン形状５４ａより各ランドの面積が小さくなる。
【００３４】
ライブラリ登録部２３は、部品形状とパターン形状と搭載面を組み合わせて製造ライブラリを生成することもできる。ライブラリ登録部２３は、同一の部品形状であっても搭載面が異なる製造ライブラリに、異なる製造ライブラリ番号を付与する。ライブラリ登録部２３は、部品形状とパターン形状とピン間本数を組み合わせて製造ライブラリを生成することもできる。ライブラリ登録部２３は、同一の部品形状であってもピン間本数が異なる製造ライブラリに、異なる製造ライブラリ番号を付与する。ライブラリ登録部２３は、部品形状とパターン形状と搭載面とピン間本数を組み合わせて製造ライブラリを生成することもできる。
【００３５】
図６は、外観検査用の製造ライブラリの登録処理を説明するためのフローチャートである。本フローチャートでは製造ライブラリをパーツデータ（ＰＤ）を呼ぶ。図６ではＳＭＴ搭載用ＰＤの登録処理と連動して外観検査用ＰＤを自動登録する例を説明する。ライブラリ登録部２３は部品データベース１３から部品図番を取得し、ＳＭＴ搭載用ＰＤを生成してライブラリデータベース１４に登録する。その際、ＳＭＴ搭載用ＰＤにＰＤ番号を付与し、部品図番と関連づける。例えばＳＭＴ搭載用ＰＤにＰＤ番号「６０２７２７Ｅ」を付与する。
【００３６】
このＳＭＴ搭載用ＰＤの登録に連動してライブラリ登録部２３は以下の処理を実行する。まず、ライブラリ登録部２３は、ＣＡＤ実装データまたは外観検査用実装データに含まれる部品とパターンの組合せのうち、ライブラリデータベース１４に未登録のものがあるか否かチェックする（Ｓ１０）。このチェックは部品図番とパターン番号を用いて実行される。未登録がない場合（Ｓ１２のＮ）、外観検査用ＰＤの登録処理を終了する。
【００３７】
未登録がある場合（Ｓ１２のＹ）、ライブラリ登録部２３は今回登録すべき部品とパターンの組合せと同一形状ＰＤがライブラリデータベース１４に登録されているか否かチェックする（Ｓ１４）。同一形状ＰＤがある場合（Ｓ１６のＹ）、今回登録すべき部品とパターンの組合せと同一形状ＰＤとを割付けてライブラリデータベース１４に登録する（Ｓ１８）。例えば、同一形状ＰＤのＰＤ番号「６０２７２７Ｅ」を割当てる。
【００３８】
同一形状ＰＤがない場合（Ｓ１６のＮ）、ライブラリ登録部２３は今回登録パターン（ＴＬＩＢ）のＬ１／ＬＮ形状をチェックする（Ｓ２０）。Ｌ１とＬＮが同一形状である場合（Ｓ２２のＹ）、ライブラリ登録部２３は今回登録パターン（ＴＬＩＢ）のＰ３／Ｐ５の有無をチェックする（Ｓ２４）。Ｐ３／Ｐ５の指定がある場合（Ｓ２６のＹ）、ライブラリ登録部２３は既存登録ＰＤ番号をカウントアップしてＰ３／Ｐ５別の新規ＰＤ番号を生成する。例えば、既存登録ＰＤのＰＤ番号「６０２７２７ＥＧ００１」をもとに新規登録ＰＤのＰＤ番号「６０２７２７ＥＧ００２Ｐ３」とＰＤ番号「６０２７２７ＥＧ００２Ｐ５」を生成する。ライブラリ登録部２３は、今回登録すべき部品とパターンの組合せにＰ３／Ｐ５別にそれぞれの新規ＰＤ番号を付加して、ライブラリデータベース１４にＰＤ登録する（Ｓ２８）。
【００３９】
ステップＳ２６にてＰ３／Ｐ５の指定がない場合（Ｓ２６のＮ）、ライブラリ登録部２３は既存登録ＰＤ番号をカウントアップして新規ＰＤ番号を生成する。例えば、既存登録ＰＤのＰＤ番号「６０２７２７ＥＧ００１」をもとに新規登録ＰＤのＰＤ番号「６０２７２７ＥＧ００２」を生成する。ライブラリ登録部２３は、今回登録すべき部品とパターンの組合せに新規ＰＤ番号を付加して、ライブラリデータベース１４にＰＤ登録する（Ｓ３０）。
【００４０】
ステップＳ２２にてＬ１とＬＮが同一形状でない場合（Ｓ２２のＮ）、ライブラリ登録部２３は今回登録パターン（ＴＬＩＢ）のＰ３／Ｐ５の有無をチェックする（Ｓ３４）。Ｐ３／Ｐ５の指定がある場合（Ｓ３６のＹ）、ライブラリ登録部２３は既存登録ＰＤ番号をカウントアップしてＬ１のＰ３／Ｐ５別の新規ＰＤ番号を生成する。例えば、既存登録ＰＤのＰＤ番号「６０２７２７ＥＧ００１」をもとに新規登録ＰＤのＰＤ番号「６０２７２７ＥＧ００２Ｌ１Ｐ３」とＰＤ番号「６０２７２７ＥＧ００２Ｌ１Ｐ５」を生成する。ライブラリ登録部２３は、今回登録すべきＬ１の部品とパターンの組合せにＰ３／Ｐ５別にそれぞれの新規ＰＤ番号を付加して、ライブラリデータベース１４にＰＤ登録する（Ｓ３８）。
【００４１】
同様に、ライブラリ登録部２３は既存登録ＰＤ番号をカウントアップしてＬＮのＰ３／Ｐ５別の新規ＰＤ番号を生成する。例えば、既存登録ＰＤのＰＤ番号「６０２７２７ＥＧ００１」をもとに新規登録ＰＤのＰＤ番号「６０２７２７ＥＧ００２ＬＮＰ３」とＰＤ番号「６０２７２７ＥＧ００２ＬＮＰ５」を生成する。ライブラリ登録部２３は、今回登録すべきＬＮの部品とパターンの組合せをＰ３／Ｐ５別にそれぞれの新規ＰＤ番号を付加して、ライブラリデータベース１４にＰＤ登録する（Ｓ４０）。
【００４２】
ステップＳ３６にてＰ３／Ｐ５の指定がない場合（Ｓ３６のＮ）、ライブラリ登録部２３は既存登録ＰＤ番号をカウントアップしてＬ１／ＬＮ別の新規ＰＤ番号を生成する。例えば、既存登録ＰＤのＰＤ番号「６０２７２７ＥＧ００１」をもとに新規登録ＰＤのＰＤ番号「６０２７２７ＥＧ００２Ｌ１」とＰＤ番号「６０２７２７ＥＧ００２ＬＮ」を生成する。ライブラリ登録部２３は、今回登録すべき部品とパターンの組合せにＬ１／ＬＮ別にそれぞれの新規ＰＤ番号を付加して、ライブラリデータベース１４にＰＤ登録する（Ｓ４２）。
【００４３】
図７は、外観検査用実装データの出力処理を説明するためのフローチャートである。外観検査用データ生成部２４は、部品実装データベース１１、基板データベース１２、部品データベース１３、ライブラリデータベース１４に登録されたデータをもとに、外観検査用実装（ＳＲＣ）データを生成する（Ｓ５０）。ライブラリ登録部２３は、生成された外観検査用実装（ＳＲＣ）データに含まれる部品とパターンの組合せのうち、ライブラリデータベース１４に登録されていないものがあるか否かチェックする（Ｓ５２）。
【００４４】
ＰＤの未登録がない場合（Ｓ５４のＮ）、外観検査用データ生成部２４は、生成した外観検査用実装（ＳＲＣ）データを出力する（Ｓ５６）。出力された外観検査用実装（ＳＲＣ）データは外観検査機に設定される。ＰＤの未登録がある場合（Ｓ５４のＹ）、ライブラリ登録部２３はＰＤの未登録リストを生成し、出力する（Ｓ５８）。ライブラリ登録部２３はこの未登録リストをもとに外観検査用ＰＤをライブラリデータベース１４に登録する。その登録処理の流れは図６のフローチャートに示したものを使用できる。
【００４５】
以上説明したように本実施の形態によれば、ＣＡＤ実装データとＣＡＤライブラリデータの製造ＣＡＭシステム取込みに連動して、部品形状（部品図番）、パターン形状（ランド集合体）、Ｌ１／ＬＮ、ピン間パターン本数の組合せでの同一形状が既存製造ライブラリに存在するかをＣＡＤライブラリデータをもとに自動判別する。既存製造ライブラリに存在しない場合、新規形状に対する製造ライブラリの新規データの自動採番、および新規番号による製造ライブラリ登録と製造用マシンデータを作成する。これにより、同一部品でパターン形状違いにより発生する製造ライブラリの管理と製造データ編集の作業工数を大幅に低減できる。
【００４６】
従来のように１つの部品に対して１つのパターンが割当てられた１つの製造ライブラリしか登録されていない場合において、ＣＡＤ実装データに、製造ライブラリに登録されていない組合せの部品データが含まれる場合、作業者が既存製造ライブラリのパターンを手作業で修正する必要があった。これに対して本実施の形態では１つの部品に対してパターン別に複数の製造ライブラリを登録できるため、このような修正作業が不要になった。
【００４７】
以上、本発明を実施の形態をもとに説明した。この実施の形態は例示であり、それらの各構成要素や各処理プロセスの組合せにいろいろな変形例が可能なこと、またそうした変形例も本発明の範囲にあることは当業者に理解されるところである。
【００４８】
ライブラリ登録部２３は同一の部品形状および同一のパターンのランド形状であっても、ランドの向きが異なるライブラリデータに、異なる製造ライブラリ番号を付与してもよい。特にＳＭＴ搭載用ＰＤ登録に有効である。
【符号の説明】
【００４９】
１０  データベース、  １１  部品実装データベース、  １２  基板データベース、  １３  部品データベース、  １４  ライブラリデータベース、  ２０  処理部、  ２１  設計データ取得部、  ２２  ライブラリ取得部、  ２３  ライブラリ登録部、  ２４  外観検査用データ生成部、  ３０  ユーザインタフェース、  １００  製造支援システム。
【図１】
0005615861.tif 000002
【図２】
0005615861.tif 000003
【図３】
0005615861.tif 000004
【図４】
0005615861.tif 000005
【図５】
0005615861.tif 000006
【図６】
0005615861.tif 000007
【図７】
0005615861.tif 000008